(57)【要約】【課題】体組成の測定をより柔軟に行うことのできる体組成測定装置を提供する。【解決手段】この体組成測定装置は、複数の電極４２，５２，６２，７２を有する測定ユニット２０を備えている。測定ユニット２０は、少なくとも１つの電極４２，５２，６２，７２を備える複数の測定ブロック４０，５０，６０，７０に分割される。そして、測定ブロック４０，５０，６０，７０は、自身とは別の測定ブロックに対する接続及び同ブロックからの分離を可能にする接続体４３，５３，６３，７３を備えている。【選択図】図１
2011067356.tif 000002
【特許請求の範囲】
【請求項１】
複数の電極を有する測定ユニットを備えた体組成測定装置において、
前記測定ユニットは、少なくとも１つの電極を備える複数の測定ブロックに分割されるものであり、
前記測定ブロックは、自身とは別の測定ブロックに対する接続及び同ブロックからの分離を可能にする接続体を備えるものである
ことを特徴とする体組成測定装置。
【請求項２】
請求項１に記載の体組成測定装置において、
前記測定ユニットは、１または複数の測定ブロックからなる第１ブロック体、及び１または複数の測定ブロックからなる第２ブロック体を形成した状態で体組成を測定することができるものである
ことを特徴とする体組成測定装置。
【請求項３】
請求項２に記載の体組成測定装置において、
前記第１ブロック体は、１つの電流印加用電極を含むものであり、
前記第２ブロック体は、１つの電流印加用電極及び一対の電圧測定用電極を含むものであり、
前記測定ユニットは、前記第１ブロック体の電流印加用電極と前記第２ブロック体の電流印加用電極とが近傍になるように前記第１ブロック体及び前記第２ブロック体を配置した状態で体組成を測定することができるものである
ことを特徴とする体組成測定装置。
【請求項４】
請求項３に記載の体組成測定装置において、
前記第１ブロック体は、１つの電流印加用電極を含むものであり、
前記第２ブロック体は、１つの電流印加用電極及び一対の電圧測定用電極を含むものであり、
前記測定ユニットは、前記第１ブロック体の電流印加用電極と前記第２ブロック体の電流印加用電極とが対向するように前記第１ブロック体及び前記第２ブロック体を配置した状態で体組成を測定することができるものである
ことを特徴とする体組成測定装置。
【請求項５】
請求項１〜４のいずれか一項に記載の体組成測定装置において、
前記測定ユニットは、前記複数の電極として一対の電流印加用電極及び一対の電圧測定用電極を備え、且つ４つの測定ブロックに分割されるものであり、
前記４つの測定ブロックのそれぞれは、前記複数の電極のいずれか１つを備えるものである
ことを特徴とする体組成測定装置。
【請求項６】
請求項１〜５のいずれか一項に記載の体組成測定装置において、
前記測定ブロックは、体表面上を移動するときに体表面との接触部が回転する回転構造を備えるものである
ことを特徴とする体組成測定装置。
【請求項７】
請求項１〜６のいずれか一項に記載の体組成測定装置において、
前記測定ブロックにより体表面の各々の位置において測定された電圧に基づいて皮下脂肪量及び内臓脂肪量を含む体脂肪量を算出する脂肪算出手段を備える
ことを特徴とする体組成測定装置。
【請求項８】
請求項１〜７のいずれか一項に記載の体組成測定装置において、
前記測定ユニットにより測定された体組成の分布を表示する表示手段を備える
ことを特徴とする体組成測定装置。
【請求項９】
請求項１〜８のいずれか一項に記載の体組成測定装置において、
前記測定ユニットにより測定された電圧に基づいて被測定体の一部分の体組成の分布を算出し、前記被測定体の一部分と軸対称の関係にある被測定体の別部分の体組成の分布を前記被測定体の一部分の体組成の分布に基づいて算出する算出手段を備える
ことを特徴とする体組成測定装置。
【発明の詳細な説明】
【技術分野】
【０００１】
本発明は、複数の電流印加電極及び複数の電圧測定用電極を有する測定ユニットを備えた体組成測定装置に関する。
【背景技術】
【０００２】
上記体組成測定装置として、特許文献１には、一方の電極から他方の電極までの距離を変更することのできるものが開示されている。この体組成測定装置は、各電極に共通の単一の支持体が人体等の被測定体の特定部位の表面形状に沿った形状をなし、ばねなどの柔軟性部を有して電極と体表面との距離が変更できるようにしているため、体組成の測定を柔軟に行うことができる。
【先行技術文献】
【特許文献】
【０００３】
【特許文献１】特許第４００５０９５号
【発明の概要】
【発明が解決しようとする課題】
【０００４】
しかし、上記体組成測定装置においては、電極の移動は測定部位の表面形状と対応した支持体に沿って行われるため、電極間の距離や位置関係は支持体の形状によって限定されたものとなる。すなわち、体組成の柔軟な測定を一応は可能にするものとはいえ、測定の柔軟性について改善の余地を残すものとなっている。
【０００５】
本発明はこのような実情に鑑みてなされたものであり、その目的は、体組成の測定をより柔軟に行うことのできる体組成測定装置を提供することにある。
【課題を解決するための手段】
【０００６】
以下、上記目的を達成するための手段及びその作用効果について記載する。
（１）請求項１に記載の発明は、複数の電極を有する測定ユニットを備えた体組成測定装置において、前記測定ユニットは、少なくとも１つの電極を備える複数の測定ブロックに分割されるものであり、前記測定ブロックは、自身とは別の測定ブロックに対する接続及び同ブロックからの分離を可能にする接続体を備えるものであることを要旨としている。
【０００７】
この発明では、一の測定ブロックとこれとは別の測定ブロックとの接続及びこれらブロック同士の分離を可能にする接続体を備えていることにより、電極の間隔をより高い自由度をもって設定することができるため、体組成の測定をより柔軟に行うことができる。
【０００８】
（２）請求項２に記載の発明は、請求項１に記載の体組成測定装置において、前記測定ユニットは、１または複数の測定ブロックからなる第１ブロック体、及び１または複数の測定ブロックからなる第２ブロック体を形成した状態で体組成を測定することができるものであることを要旨としている。
【０００９】
この発明では、測定ユニットが２つのブロック体に分割された状態で体組成の測定を行うことができるため、ユーザが両腕のそれぞれに１つのブロック体を持った状態で自身の体組成を測定することができるようになる。
【００１０】
（３）請求項３に記載の発明は、請求項２に記載の体組成測定装置において、前記第１ブロック体は、１つの電流印加用電極を含むものであり、前記第２ブロック体は、１つの電流印加用電極及び一対の電圧測定用電極を含むものであり、前記測定ユニットは、前記第１ブロック体の電流印加用電極と前記第２ブロック体の電流印加用電極とが近傍になるように前記第１ブロック体及び前記第２ブロック体を配置した状態で体組成を測定することができるものであることを要旨としている。
【００１１】
測定ユニットにより測定される電圧には、主に内臓脂肪量及び皮下脂肪量が反映される。また、電圧に反映される内臓脂肪量及び皮下脂肪量の度合は、電流印加用電極の間隔に応じて変化する。すなわち、電流印加用電極の間隔が小さくなるにつれて、測定電圧に対する皮下脂肪量の反映度合が増大する。一方、電流印加用電極の間隔が大きくなるにつれて、測定電圧に対する内臓脂肪量の反映度合が増大する。
【００１２】
上記発明によれば、第１ブロック体の電流印加用電極と第２ブロック体の電流印加用電極とが接近した状態での体組成の測定が可能となるため、測定ユニットによる電圧の測定を通じて、皮下脂肪量がより大きく反映された電圧を測定結果として得ることができるようになる。
【００１３】
（４）請求項４に記載の発明は、請求項３に記載の体組成測定装置において、前記第１ブロック体は、１つの電流印加用電極を含むものであり、前記第２ブロック体は、１つの電流印加用電極及び一対の電圧測定用電極を含むものであり、前記測定ユニットは、前記第１ブロック体の電流印加用電極と前記第２ブロック体の電流印加用電極とが対向するように前記第１ブロック体及び前記第２ブロック体を配置した状態で体組成を測定することができるものであることを要旨としている。
【００１４】
上記発明によれば、第１ブロック体の電流印加用電極と第２ブロック体の電流印加用電極とが離れた状態での体組成の測定が可能となるため、測定ユニットによる電圧の測定を通じて、内臓脂肪量がより大きく反映された電圧を測定結果として得ることができるようになる。
【００１５】
（５）請求項５に記載の発明は、請求項１〜４のいずれか一項に記載の体組成測定装置において、前記測定ユニットは、前記複数の電極として一対の電流印加用電極及び一対の電圧測定用電極を備え、且つ４つの測定ブロックに分割されるものであり、前記４つの測定ブロックのそれぞれは、前記複数の電極のいずれか１つを備えるものであることを要旨としている。
【００１６】
この発明では、電流印加用電極と電圧測定用電極とを各別に備えて体組成を測定する測定方法として端子数の最も少ない４端子法を採用することができるため、４つのブロック及び４つの電極という同測定方法においての必要最低限の構成により測定ユニットを構成することができるようになる。
【００１７】
（６）請求項６に記載の発明は、請求項１〜５のいずれか一項に記載の体組成測定装置において、前記測定ブロックは、体表面上を移動するときに体表面との接触部が回転する回転構造を備えるものであることを要旨としている。
【００１８】
この発明では、測定ユニットの接触部が体表面に対して回転する回転構造を備えるようにしているため、体表面に対する測定ユニットの移動を滑らかにすることができるようになる。なおここでの回転構造には、ローラや球体のように測定ブロックに対してその本体とは別に回転体が設けられる構造はもとより、電極そのものが回転体として機能する構造も含まれる。
【００１９】
（７）請求項７に記載の発明は、請求項１〜６のいずれか一項に記載の体組成測定装置において、前記測定ブロックにより体表面の各々の位置において測定された電圧に基づいて皮下脂肪量及び内臓脂肪量を含む体脂肪量を算出する脂肪算出手段を備えることを要旨としている。
【００２０】
この発明では、測定ブロックにより体表面の各々の位置において測定された電圧に基づいて体脂肪を算出することができるため、ユーザが被測定体の各部位の体組成を把握することができるようになる。
【００２１】
（８）請求項８に記載の発明は、請求項１〜７のいずれか一項に記載の体組成測定装置において、前記測定ユニットにより測定された体組成の分布を表示する表示手段を備えることを要旨としている。
【００２２】
この発明では、検出された電圧に基づいて体組成の分布を表示するようにしているため、ユーザが体組成の分布を視認することができる。なお、ここで体組成の分布は、文字による表示だけでなく図による表示も含むものである。
【００２３】
（９）請求項９に記載の発明は、請求項１〜８のいずれか一項に記載の体組成測定装置において、前記測定ユニットにより測定された電圧に基づいて被測定体の一部分の体組成の分布を算出し、前記被測定体の一部分と軸対称の関係にある被測定体の別部分の体組成の分布を前記被測定体の一部分の体組成の分布に基づいて算出する算出手段を備えることを要旨としている。
【００２４】
この発明では、測定ユニットにより測定された電圧に基づいて被測定体の一部分の体組成の分布を算出し、前記被測定体の一部分と軸対称の関係にある被測定体の別部分の体組成の分布を前記被測定体の一部分の体組成の分布に基づいて算出する算出手段を備えるため、体組成を測定するときのユーザの動作を少なくすることができる。
【発明の効果】
【００２５】
本発明によれば、体組成の測定をより柔軟に行うことのできる体組成測定装置を提供することができる。
【図面の簡単な説明】
【００２６】
【図１】本発明の体組成測定装置を具体化した一実施形態について、体組成測定装置の構成を模式的に示す模式図。
【図２】同実施形態の体組成測定装置の使用時における、ブロック体とユーザとの関係を模式的に示した模式図。
【図３】同実施形態の体組成測定装置によって測定される被測定体としての人体腹部の体組成分布を模式的に示す模式図。
【図４】同実施形態の体組成測定装置の使用時におけるブロック体の移動を模式的に示した模式図。
【図５】同実施形態の体組成測定装置の使用時におけるブロック体の配置を模式的に示した模式図。
【図６】同実施形態の体組成測定装置の使用時におけるブロック体の配置を模式的に示した模式図。
【図７】同実施形態の体組成測定装置の使用時におけるブロック体の配置を模式的に示した模式図。
【図８】同実施形態の体組成測定装置の使用時におけるブロック体の配置を模式的に示した模式図。
【発明を実施するための形態】
【００２７】
図１〜図８を参照して、本発明の一実施形態について説明する。
図１に示されるように、体組成測定装置１は、体表面に電流を印加して電圧を測定する測定ユニット２０と、同ユニット２０の測定データに基づいて体組成を算出する本体ユニット８０とを含めて構成されている。
【００２８】
測定ユニット２０は、それぞれ１つの電極を有する４つのブロック、すなわち第１測定ブロック４０及び第２測定ブロック５０及び第３測定ブロック６０及び第４測定ブロック７０を含めて構成されている。第１測定ブロック４０〜第４測定ブロック７０はそれぞれ、信号の伝達が可能な伝達線１１により本体ユニット８０と互いに接続されている。
【００２９】
第１測定ブロック４０は、その本体となるブロック本体４１と、同本体４１に設けられて被測定体１００に電流を印可する電流印加用電極４２と、同本体４１に設けられて第２測定ブロック５０に対する接続及び離脱が可能な接続体４３と、本体４１に対する回転が許容されて被測定体１００の体表面上において回転可能なローラ４４とを含めて構成されている。
【００３０】
第２測定ブロック５０は、その本体となるブロック本体５１と、同本体５１に設けられて被測定体１００の電圧を測定する電圧測定用電極５２と、同本体５１に設けられて第１測定ブロック４０に対する接続及び離脱が可能な接続体５３と、第３測定ブロック６０に対する接続及び離脱が可能な接続体５３と、本体５１に対する回転が許容されて被測定体１００の体表面上において回転可能なローラ５４とを含めて構成されている。
【００３１】
第３測定ブロック６０は、その本体となるブロック本体６１と、同本体６１に設けられて被測定体１００の電圧を測定する電圧測定用電極６２と、同本体６１に設けられて第２測定ブロック５０に対する接続及び離脱が可能な接続体６３と、第４測定ブロック７０に対する接続及び離脱が可能な接続体６３と、本体６１に対する回転が許容されて被測定体１００の体表面上において回転可能なローラ６４とを含めて構成されている。
【００３２】
第４測定ブロック７０は、その本体となるブロック本体７１と、同本体７１に設けられて被測定体１００に電流を印可する電流印加用電極７２と、同本体７１に設けられて第３測定ブロック６０に対する接続及び離脱が可能な接続体７３と、本体７１に対する回転が許容されて被測定体１００の体表面上において回転可能なローラ７４とを含めて構成されている。
【００３３】
上記各接続体４３，５３，６３，７３としては、少なくとも２つの測定ブロックが接続されたブロック体を体表面に接触させたときに各測定ブロックが体表面に沿うように湾曲及び伸縮する蛇腹状の要素が採用されている。また上記各接続体には、接続体同士の接続及び分離を実現するためのものとして、フック４３Ａ，５３Ａ，６３Ａ，７３Ａが設けられている。
【００３４】
第１測定ブロック４０及び第２測定ブロック５０の間においては、接続体４３と接続体５３とをフック４３Ａ，５３Ａを介して互いに接続することにより、第１測定ブロック４０と第２測定ブロック５０とを互いに接続することができる。
【００３５】
第２測定ブロック５０及び第３測定ブロック６０の間においては、接続体５３と接続体６３とをフック５３Ａ，６３Ａを介して互いに接続することにより、第２測定ブロック５０と第３測定ブロック６０とを互いに接続することができる。
【００３６】
第３測定ブロック６０及び第４測定ブロック７０の間においては、接続体６３と接続体７３とをフック６３Ａ，７３Ａを介して互いに接続することにより、第３測定ブロック６０と第４測定ブロック７０とを互いに接続することができる。
【００３７】
本体ユニット８０は、測定ユニット２０の測定データに基づく演算、及び測定ユニット２０に対する制御指令の送信を行う制御部８１と、演算結果としての体組成量を表示する表示部８２とを含めて構成されている。
【００３８】
制御部８１は、第１測定ブロック４０及び第４測定ブロック７０のそれぞれに対して電流印加用電極４２及び７２による電流印加の指令を送信する。また、第２測定ブロック５０の電圧測定用電極５２及び第３測定ブロック６０の電圧測定用電極６２により測定された電圧に基づいて、被測定体１００の体脂肪量を算出する。ここで体脂肪とは、皮下脂肪及び内臓脂肪を含む被測定体１００の総合的な脂肪を示すものである。算出する体脂肪量としては、具体的には体脂肪率及び体脂肪重量であり、このほか、次に挙げるものを算出することができる。すなわち皮下脂肪量として、皮下脂肪面積と皮下脂肪体積と皮下脂肪厚と皮下脂肪重量の少なくとも１つを算出することができる。また内臓脂肪量として、内臓脂肪面積と内臓脂肪体積と内臓脂肪厚と内臓脂肪重量との少なくとも１つを算出することができる。またこの他に、腹部皮下脂肪厚と腹筋厚と腹部皮下脂肪面積と内臓脂肪面積との少なくとも１つを算出することもできる。
【００３９】
表示部８２は、制御部８１から送信される信号に基づいて、体脂肪量をはじめとする各種の情報を表示する。体組成測定装置１のユーザは、同表示部８２に表示される情報を通じて体脂肪量の測定結果等を把握することができる。
【００４０】
図２を参照して、測定ユニット２０による体組成の測定方法の概要を説明する。
ユーザが１人で体組成の測定を行うときには、４つの測定ブロックが接続された状態、または４つの測定ブロックが２つのグループに分割された状態で測定ユニット２０を使用する。図２には、第１測定ブロック４０及び第２測定ブロック５０及び第３測定ブロック６０により構成されるブロック体３０Ａと、第４測定ブロック７０により構成されるブロック体３０Ｂとの２つに測定ユニット２０が分割された状態が示されている。
【００４１】
ユーザは、例えば立位の状態で両手のそれぞれにブロック体３０Ａを持ち、それぞれのブロック体３０Ａ，３０Ｂを体表面に押し付けることにより測定ユニット２０により体組成の測定が行われる。また、ブロック体３０Ａ，３０Ｂの少なくとも一方を体表面に沿って移動させることにより、体組成の連続的な分布を測定することもできる。
【００４２】
図３を参照して、体組成測定装置１の測定対象となる被測定体１００の断面構造における体組織と体脂肪１１０との関係について説明する。被測定体１００の断面において、被測定体１００の表面下には皮下脂肪１１１が全周において層状に存在し、腹部１０１及び背部１０４において厚みのある層を形成する一方、左脇腹１０２及び右脇腹１０３においては比較的薄い層が形成されている。また、皮下脂肪１１１の層と筋肉１２０を隔てた腹腔内の臓器の間には内臓脂肪１１２が存在している。すなわち、体表面上の任意の２点を結ぶ線を考えたとき、２点間の距離が小さくなるほど線上において体脂肪１１０に対する皮下脂肪１１１の割合が大きくなり、逆に２点間の距離が大きくなるほど線上において体脂肪１１０に対する内臓脂肪１１２の割合が大きくなる。
【００４３】
また、図３に示されるように、同断面は骨１３０を中心に左右対称な構造となっている。すなわち、体脂肪１１０の分布も左右対称であるため、ユーザが左右の一方の体組成を測定することで、他方の体組成を算出することもできる。
【００４４】
図４〜図８を参照して、測定ユニット２０の使用形態の例について説明する。なお、各図面において第１測定ブロック４０から第４測定ブロック７０に向かう矢印は、被測定体１００内での電流の流れの一例を示している。また以降では、第２測定ブロック５０及び第３測定ブロック６０を介しての第１測定ブロック４０の電流印加用電極と第４測定ブロック７０の電流印加用電極との間隔を「電極間隔」とする。
【００４５】
図４及び図５に示される使用形態では、測定ユニット２０が次の２つのブロック体に分割される。すなわち、第１測定ブロック４０〜第３測定ブロック６０からなる第１ブロック体３０Ａと、第４測定ブロック７０からなる第２ブロック体３０Ｂとの２つのブロック体に分割される。このような測定ユニット２０の使用形態においては、体組成を測定するときに被測定体１００に対する第１ブロック体３０Ａ及び第２ブロック体３０Ｂのそれぞれの位置を１人のユーザにより自由に変更することができる。
【００４６】
例えば、図４（ａ）に示されるように、第１ブロック体３０Ａを被測定体１００の腹部１０１に接触させ、第２ブロック体３０Ｂを腹部１０１においての第１ブロック体３０Ａの近傍に配置することができる。また図４（ｂ）に示されるように、第１ブロック体３０Ａを被測定体１００の腹部１０１と左脇腹１０２との間に接触させ、第２ブロック体３０Ｂを腹部１０１において第１ブロック体３０Ａから離れたところに接触させることもできる。また図５（ａ）に示されるように、第１ブロック体３０Ａを被測定体１００の左脇腹１０２に接触させ、第２ブロック体３０Ｂを腹部１０１において第１ブロック体３０Ａから離れたところに接触させることもできる。また図５（ｂ）に示されるように、第１ブロック体３０Ａを被測定体１００の左脇腹１０２に接触させ、第２ブロック体３０Ｂを被測定体１００の右脇腹１０３に接触させることもできる。
【００４７】
図４（ａ）の使用形態においては、電極間隔が比較的小さいことにより、同図にて矢印により示されるように電流が流れる。このため、測定ユニット２０の測定電圧は皮下脂肪量がより大きく反映されたものとなる。
【００４８】
図４（ｂ）の使用形態においては、電極間隔が図４（ａ）の使用形態よりも大きいことにより、同図にて矢印により示されるように電流が流れる。このため、測定ユニット２０の測定電圧は図４（ａ）の使用形態の測定電圧と比較して内臓脂肪量が大きく反映されたものとなる。
【００４９】
図５（ａ）の使用形態においては、電極間隔が体表面の周囲長さの４分の１よりも大きいことにより、同図にて矢印により示されるように電流が流れる。このため、測定ユニット２０の測定電圧は内臓脂肪量がより大きく反映されたものとなる。
【００５０】
図５（ｂ）の使用形態においては、電極間隔が図５（ａ）の使用形態よりも大きいことにより、同図にて矢印により示されるように電流が流れる。このため、測定ユニット２０の測定電圧は図５（ａ）の使用形態の測定電圧と比較して内臓脂肪量がより大きく反映されたものとなる。
【００５１】
図６に示される使用形態では、測定ユニット２０が次の２つのブロック体に分割される。すなわち、第１測定ブロック４０及び第２測定ブロック５０からなる第３ブロック体３０Ｃと、第３測定ブロック６０及び第４測定ブロック７０からなる第４ブロック体３０Ｄとの２つのブロック体に分割される。このような測定ユニット２０の使用形態においては、体組成を測定するときに被測定体１００に対する第３ブロック体３０Ｃ及び第４ブロック体３０Ｄのそれぞれの位置を１人のユーザにより自由に変更することができる。
【００５２】
例えば、図６（ａ）に示されるように、第３ブロック体３０Ｃを被測定体１００の左脇腹１０２に接触させ、第４ブロック体３０Ｄを被測定体１００の腹部１０１において第３ブロック体３０Ｃから離れたところに接触させることができる。また図６（ｂ）に示されるように、第３ブロック体３０Ｃを被測定体１００の左脇腹１０２に接触させ、第４ブロック体３０Ｄを被測定体１００の右脇腹１０３に接触させることもできる。
【００５３】
図６（ａ）の使用形態においては、同図にて矢印により示されるように電流が流れる。このようにして、測定ユニット２０の測定電圧から体組成の測定を行うこともできる。
図６（ｂ）の使用形態においては、電極間隔が図６（ａ）の使用形態よりも大きいことにより、同図にて矢印により示されるように電流が流れる。このようにして、測定ユニット２０の測定電圧から体組成の測定を行うこともできる。
【００５４】
図７に示される使用形態では、測定ユニット２０が次の１つのブロック体として構成される。すなわち、第１測定ブロック４０〜第４測定ブロック７０からなる単一の第５ブロック体３０Ｅとして構成される。このような測定ユニット２０の使用形態においては、体組成を測定するときに被測定体１００に対する第５ブロック体３０Ｅの位置を１人のユーザにより自由に変更することができる。
【００５５】
例えば、図７（ａ）に示されるように、一対の電流印加用電極及び一対の電圧測定用電極が臍部に対して左右対称となるように第５ブロック体３０Ｅを被測定体１００の腹部１０１に接触させることができる。また図６（ｂ）に示されるように、一対の電流印加用電極及び一対の電圧測定用電極が背部１０４の中心に対して左右対称となるように第５ブロック体３０Ｅを被測定体１００の左脇腹１０２に接触させることもできる。
【００５６】
図７（ａ）の使用形態においては、電極間隔が比較的小さいことにより、同図にて矢印により示されるように被測定体１００の腹部１０１に電流が流れる。このため、測定ユニット２０の測定電圧は腹部１０１の皮下脂肪量がより大きく反映されたものとなる。
【００５７】
図７（ｂ）の使用形態においては、電極間隔が比較的小さいことにより、同図にて矢印により示されるように被測定体１００の左脇腹１０２に電流が流れる。このため、測定ユニット２０の測定電圧は左脇腹１０２の皮下脂肪量がより大きく反映されたものとなる。
【００５８】
図８に示される使用形態では、測定ユニット２０が４つの個別の測定ブロックに分割される。すなわち、第１測定ブロック４０と第２測定ブロック５０とが互いに分離され、且つ第２測定ブロック５０と第３測定ブロック６０とが互いに分離され、第３測定ブロック６０と第４測定ブロック７０とが互いに分離される。そして、第１測定ブロック４０が第６ブロック体３０Ｆを、第２測定ブロック５０が第７ブロック体３０Ｇを、第３測定ブロック６０が第８ブロック体３０Ｈを、第４測定ブロック７０が第９ブロック体３０Ｉをそれぞれ構成する。このような測定ユニット２０の使用形態においては、体組成を測定するときに被測定体１００に対するブロック体３０Ｆ〜３０Ｉのそれぞれの位置を２人のユーザにより自由に変更することができる。
【００５９】
例えば、図８（ａ）に示されるように、第６ブロック体３０Ｆを被測定体１００の左脇腹１０２に接触させ、第９ブロック体３０Ｉを被測定体１００の右脇腹１０３に接触させ、第７ブロック体３０Ｇを被測定体１００の腹部１０１に接触させ、第８ブロック体３０Ｈを被測定体１００の背部１０４において第６ブロック体３０Ｆと対向するところに接触させることができる。また図８（ｂ）に示されるように、第６ブロック体３０Ｆを被測定体１００の臍部に接触させ、第８ブロック体３０Ｈを被測定体１００の左脇腹１０２に接触させ、第９ブロック体３０Ｉを被測定体１００の背部１０４において第６ブロック体３０Ｆと対向するところに接触させ、第９ブロック体３０Ｉを被測定体１００の右脇腹１０３に接触させることもできる。
【００６０】
図８（ａ）の使用形態においては、同図にて矢印により示されるように被測定体１００の左脇腹１０２から右脇腹１０３にわたり電流が流れる。このようにして、測定ユニット２０の測定電圧から体組成の測定を行うこともできる。
【００６１】
図８（ｂ）の使用形態においては、同図にて矢印により示されるように被測定体１００の腹部１０１から背部１０４にわたり電流が流れる。このようにして、測定ユニット２０の測定電圧から体組成の測定を行うこともできる。
【００６２】
図４〜図７を参照して、体組成の連続的な分布を測定する方法について説明する。
図４に示される使用形態のとき、測定ユニット２０の初期位置として、図４（ａ）に示される位置に第１ブロック体３０Ａ及び第２ブロック体３０Ｂをそれぞれ配置する。すなわち、第１ブロック体３０Ａを被測定体１００の臍部に配置し、第２ブロック体３０Ｂを同ブロック体３０Ａの近傍に配置する。
【００６３】
そして、この状態から第２ブロック体３０Ｂの位置を保持しつつ第１ブロック体３０Ａを体表面に沿わせて図４（ｂ）に示される終了位置まで移動させる。このとき、各測定ブロックの電極がブロック本体に対して回転することにより、第１ブロック体３０Ａが体表面に対して滑らかに移動する。
【００６４】
第１ブロック体３０Ａの移動により、測定ユニット２０により初期位置から終了位置までのそれぞれの位置における被測定体１００内の電圧が測定され、その結果が制御部８１に送信される。なお、ここでの初期位置から終了位置までに対応する被測定体１００の部位を「第１測定部位Ｘ１」とする。
【００６５】
制御部８１は、上記の測定電圧に基づいて第１測定部位Ｘ１の体脂肪量を算出する。また、被測定体１００の中心を基準として第１測定部位Ｘ１と軸対称の関係にある部分の体脂肪量を上記第１測定部位Ｘ１の算出結果に基づいて推定する。そして、これらの算出結果に基づいて測定部の体脂肪量の分布を表示部に表示する。
【００６６】
図５に示される使用形態のとき、測定ユニット２０の初期位置として、図５（ａ）に示される位置に第１ブロック体３０Ａ及び第２ブロック体３０Ｂをそれぞれ配置する。すなわち、第１ブロック体３０Ａを被測定体１００の左脇腹に配置し、第２ブロック体３０Ｂを被測定体１００の臍部に配置する。
【００６７】
そして、この状態から第１ブロック体３０Ａの位置を保持しつつ第２ブロック体３０Ｂを体表面に沿わせて図５（ｂ）に示される終了位置まで移動させる。このとき、各測定ブロックの電極がブロック本体に対して回転することにより、第２ブロック体３０Ｂが体表面に対して滑らかに移動する。
【００６８】
第２ブロック体３０Ｂの移動より、測定ユニット２０により初期位置から終了位置までのそれぞれの位置における被測定体１００内の電圧が測定され、その結果が制御部８１に送信される。なお、ここでの初期位置から終了位置までに対応する被測定体１００の部位を「第２測定部位Ｘ２」とする。
【００６９】
制御部８１は、上記の測定電圧に基づいて第２測定部位Ｘ２の体脂肪量を算出する。また、被測定体１００の中心を基準として第２測定部位Ｘ２と軸対称の関係にある部分の体脂肪量を上記第２測定部位Ｘ２の算出結果に基づいて推定する。そして、これらの算出結果に基づいて測定部の体脂肪量の分布を表示部に表示する。
【００７０】
図６に示される使用形態のとき、測定ユニット２０の初期位置として、図６（ａ）に示される位置に第３ブロック体３０Ｃ及び第４ブロック体３０Ｄをそれぞれ配置する。すなわち、第３ブロック体３０Ｃを被測定体１００の左脇腹に配置し、第４ブロック体３０Ｄを被測定体１００の臍部に配置する。
【００７１】
そして、この状態から第３ブロック体３０Ｃの位置を保持しつつ第４ブロック体３０Ｄを体表面に沿わせて図６（ｂ）に示される終了位置まで移動させる。このとき、各測定ブロックの電極がブロック本体に対して回転することにより、第４ブロック体３０Ｄが体表面に対して滑らかに移動する。
【００７２】
第４ブロック体３０Ｄの移動より、測定ユニット２０により初期位置から終了位置までのそれぞれの位置における被測定体１００内の電圧が測定され、その結果が制御部８１に送信される。なお、ここでの初期位置から終了位置までに対応する被測定体１００の部位を「第３測定部位Ｘ３」とする。
【００７３】
制御部８１は、上記の測定電圧に基づいて第３測定部位Ｘ３の体脂肪量を算出する。また、被測定体１００の中心を基準として第３測定部位Ｘ３と軸対称の関係にある部分の体脂肪量を上記第３測定部位Ｘ３の算出結果に基づいて推定する。そして、これらの算出結果に基づいて測定部の体脂肪量の分布を表示部に表示する。
【００７４】
図７に示される使用形態のとき、測定ユニット２０の初期位置として、図７（ａ）に示され位置に第５ブロック体３０Ｅを配置する。すなわち、第５ブロック体３０Ｅの中心を被測定体１００の臍部に対応させる。
【００７５】
そして、この状態から第５ブロック体３０Ｅを体表面に沿わせて図７（ｂ）に示される終了位置まで移動させる。このとき、各測定ブロックの電極がブロック本体に対して回転することにより、第５ブロック体３０Ｅが体表面に対して滑らかに移動する。
【００７６】
第５ブロック体３０Ｅの移動により、測定ユニット２０により初期位置から終了位置までのそれぞれの位置における被測定体１００内の電圧が測定され、その結果が制御部８１に送信される。なお、ここでの初期位置から終了位置までに対応する被測定体１００の部位を「第４測定部位Ｘ４」とする。
【００７７】
制御部８１は、上記の測定電圧に基づいて第４測定部位Ｘ４の体脂肪量を算出する。また、被測定体１００の中心を基準として第４測定部位Ｘ４と軸対称の関係にある部分の体脂肪量を上記第４測定部位Ｘ４の算出結果に基づいて推定する。そして、これらの算出結果に基づいて測定部の体脂肪量の分布を表示部に表示する。
【００７８】
以上詳述したように、本実施形態によれば以下に示す効果が得られるようになる。
（１）本実施形態の測定ユニット２０は、少なくとも１つの電極４２〜７２を備える複数の測定ブロック４０〜７０に分割されるものであり、測定ブロック４０〜７０は、自身とは別の測定ブロックに対する接続及び同ブロックからの分離を可能にする接続体４３〜７３を備えるようにしていることにより、電極４２〜７２の間隔をより高い自由度をもって設定することができるため、体組成の測定をより柔軟に行うことができる。
【００７９】
（２）本実施形態の測定ユニット２０は、第１測定ブロック４０及び第２測定ブロック５０及び第３測定ブロック６０からなる第１ブロック体３０Ａ、及び第４測定ブロック７０からなる第２ブロック体３０Ｂを形成した状態で体組成を測定することができるようにしているため、ユーザが両腕のそれぞれに１つのブロック体を持った状態で自身の体組成を測定することができるようになる。
【００８０】
（３）本実施形態の第２ブロック体３０Ｂは、１つの電流印加用電極４２を含むものであり、第１ブロック体３０Ａは、１つの電流印加用電極７２及び一対の電圧測定用電極５２，６２を含むものであり、測定ユニット２０は、第１ブロック体３０Ａの電流印加用電極４２と第２ブロック体３０Ｂの電流印加用電極７２とが近傍になるように第１ブロック体３０Ａ及び第２ブロック体３０Ｂを配置した状態で体組成を測定することができるようにしている。
【００８１】
測定ユニット２０により測定される電圧には、主に内臓脂肪量及び皮下脂肪量が反映される。また、電圧に反映される内臓脂肪量及び皮下脂肪量の度合は、電流印加用電極４２，７２の間隔に応じて変化する。すなわち、電流印加用電極４２，７２の間隔が小さくなるにつれて、測定電圧に対する皮下脂肪量の反映度合が増大する。一方、電流印加用電極４２，７２の間隔が大きくなるにつれて、測定電圧に対する内臓脂肪量の反映度合が増大する。従って、本実施形態によれば、第１ブロック体３０Ａの電流印加用電極４２と第２ブロック体３０Ｂの電流印加用電極７２とが接近した状態での体組成の測定が可能となるため、測定ユニット２０による電圧の測定を通じて、皮下脂肪量がより大きく反映された電圧を測定結果として得ることができるようになる。
【００８２】
（４）本実施形態の第２ブロック体３０Ｂは、１つの電流印加用電極７２を含むものであり、第１ブロック体３０Ａは、１つの電流印加用電極４２及び一対の電圧測定用電極５２，６２を含むものであり、測定ユニット２０は、第１ブロック体３０Ａの電流印加用電極４２と第２ブロック体３０Ｂの電流印加用電極７２とが対向するように第１ブロック体３０Ａ及び第２ブロック体３０Ｂを配置した状態で体組成を測定することができるようにしている。第１ブロック体３０Ａの電流印加用電極４２と第２ブロック体３０Ｂの電流印加用電極７２とが離れた状態での体組成の測定が可能となるため、測定ユニット２０による電圧の測定を通じて、内臓脂肪量がより大きく反映された電圧を測定結果として得ることができるようになる。
【００８３】
（５）本実施形態の測定ユニット２０は、複数の電極として一対の電流印加用電極４２，７２及び一対の電圧測定用電極５２，６２を備え、且つ４つの測定ブロック４０〜７０に分割される。４つの測定ブロックのそれぞれは、複数の電極４２〜７２のいずれか１つを備えるようにしている。このため、電流印加用電極と電圧測定用電極とを各別に備えて体組成を測定する測定方法として端子数の最も少ない４端子法を採用することができるため、４つのブロック及び４つの電極という同測定方法においての必要最低限の構成により測定ユニット２０を構成することができるようになる。
【００８４】
（６）本実施形態の測定ブロック４０〜７０は、体表面上を移動するときに体表面との接触部が回転するローラ４４〜７４を備えるようにしているため、体表面に対する測定ユニット２０の移動を滑らかにすることができるようになる。
【００８５】
（７）本実施形態の測定ブロック４０〜７０により体表面の各々の位置において測定された電圧に基づいて皮下脂肪量及び内臓脂肪量を含む体脂肪量を算出する脂肪算出手段を備えるようにしているため、ユーザが被測定体１００の各部位の体組成を把握することができるようになる。
【００８６】
（８）本実施形態では、測定ユニット２０により測定された体組成の分布を表示する表示手段を備えるようにしているため、ユーザが体組成の分布を視認することができる。
（９）本実施形態の測定ユニット２０により測定された電圧に基づいて被測定体１００の一部分の体組成の分布を算出し、被測定体１００の一部分と軸対称の関係にある被測定体１００の別部分の体組成の分布を被測定体の一部分の体組成の分布に基づいて算出する算出手段を備えるようにしているため、体組成を測定するときのユーザの動作を少なくすることができる。
【００８７】
（１０）本実施形態の接続体４３〜７３は蛇腹状の要素としているため、被測定体１００の体表面形状に関わらず、全ての測定ブロック４０〜７０と被測定体１００の表面との距離に生じる差を抑制することができるようになる。
【００８８】
（１１）本実施形態では、４端子法を採用しているため、これよりも多い端子を備えて電圧を測定する場合と比較して、体組成測定装置１のサイズをコンパクトなものにすることができるようになる。
【００８９】
（その他の実施形態）
なお、本発明の実施態様は上記実施形態に限られるものではなく、例えば以下に示す態様をもって実施することもできる。また以下の各変形例は、上記実施形態についてのみ適用されるものではなく、異なる変形例同士を互いに組み合わせて実施することもできる。
【００９０】
・上記実施形態では、測定ユニット２０の使用形態として図４〜図８に示される形態を例示したが、測定ユニットの使用形態はこれに限られるものではなく、例えば以下の（Ａ）〜（Ｉ）に示すように変更することもできる。
【００９１】
（Ａ）図４の使用形態において、第１測定ブロック４０と第２測定ブロック５０との位置を入れ替えるとともに、第４測定ブロック７０と第３測定ブロック６０との位置を入れ替える。またこれに代えて、いずれか一方についてのみ位置を入れ替える。
【００９２】
（Ｂ）図４の使用形態において、第２測定ブロック５０及び第３測定ブロック６０と第４測定ブロック７０とを分離する。すなわち、第２ブロック体３０Ｂを２つのブロック体に分離し、測定ユニット２０全体として３つのブロック体に分離する。
【００９３】
（Ｃ）図４の使用形態において、第２測定ブロック５０と第３測定ブロック６０及び第４測定ブロック７０とを分離する。すなわち、第２ブロック体３０Ｂを２つのブロック体に分離し、測定ユニット２０全体として３つのブロック体に分離する。
【００９４】
（Ｄ）図５の使用形態において、第１測定ブロック４０と第２測定ブロック５０との位置を入れ替える。また第４測定ブロック７０と第３測定ブロック６０との位置を入れ替える。またこれに代えて、いずれか一方についてのみ位置を入れ替える。
【００９５】
（Ｅ）図５の使用形態において、第１測定ブロック４０と第２測定ブロック５０及び第３測定ブロック６０とを分離する。すなわち、第１ブロック体３０Ａを２つのブロック体に分離し、測定ユニット２０全体として３つのブロック体に分離する。
【００９６】
（Ｆ）図５の使用形態において、第１測定ブロック４０及び第２測定ブロック５０と第３測定ブロック６０とを分離する。すなわち、第１ブロック体３０Ａを２つのブロック体に分離し、測定ユニット２０全体として３つのブロック体に分離する。
【００９７】
（Ｇ）図６の使用形態において、第１測定ブロック４０と第２測定ブロック５０との位置を入れ替える。また第４測定ブロック７０と第３測定ブロック６０との位置を入れ替える。またこれに代えて、いずれか一方についてのみ位置を入れ替える。
【００９８】
（Ｈ）図６の使用形態において、第１測定ブロック４０と第２測定ブロック５０とを分離する。すなわち、第３ブロック体３０Ｃを２つのブロック体に分離し、測定ユニット２０全体として３つのブロック体に分離する。
【００９９】
（Ｉ）図６の使用形態において、第３測定ブロック６０と第４測定ブロック７０とを分離する。すなわち、第４ブロック体３０Ｄを２つのブロック体に分離し、測定ユニット２０全体として３つのブロック体に分離する。
【０１００】
・上記実施形態では、４つの電極を有する測定ユニット２０を４つの測定ブロックに分離する構成を採用したが、測定ユニット２０を構成する測定ブロックの数はこれに限られるものではなく、例えば以下の（Ａ）または（Ｂ）に示される構成に変更することもできる。
【０１０１】
（Ａ）測定ユニット２０を第１測定ブロック４０〜第３測定ブロック６０に相当する３つの測定ブロックにより構成し、第４測定ブロック７０の電圧測定用電極を上記３つの測定ブロックのいずれかに設ける。
【０１０２】
（Ｂ）測定ユニット２０を第１測定ブロック４０〜第３測定ブロック６０に相当する３つの測定ブロックにより構成する。この場合、第４測定ブロック７０の電流印加用電極を上記３つの測定ブロックのいずれかに設ける。
【０１０３】
・上記実施形態では、第１測定ブロック４０〜第４測定ブロック７０のそれぞれに１つの電極を設けるようにしたが、測定ブロック１つあたりの電極数を複数に変更することもできる。また、この場合に複数の電極を設ける測定ブロックの数としては、１または複数のいずれにも設定することができる。
【０１０４】
・上記実施形態では、測定ユニット２０により測定された電圧に基づいて体脂肪量を算出し、これを表示部８２に表示するようにしたが、測定電圧を直接的に表示部８２に表示することもできる。
【０１０５】
・上記実施形態では、体組成の測定結果を文字または図として表示部８２に示すようにしたが、ユーザに対して測定結果を伝達するための方法はこれに限らない。例えば、表示部８２に加えてまたは表示部８２に代えて、ユーザに対して音声により測定結果を伝達する音声部を備えることもできる。
【０１０６】
・上記実施形態では、一対の電流印加用電極と一対の電圧測定用電極とを有する測定ユニット２０、すなわち４端子法により体組成を測定する測定ユニット２０を備えるようにしたが、これに代えて２端子法により体組成を測定する測定ユニットを備えることもできる。この場合には、測定ユニットが２つの測定ブロックにより構成されるとともに、それぞれのブロックに電流印加用電極及び電圧測定用電極を兼ねた１つの電極が設けられる。すなわち、測定ユニットは２つの測定ブロック及び２つの電極により構成される。
【０１０７】
・また、測定ユニット２０に設ける電極の数は、実施形態の「４」及び上記変形例の「２」に限られるものではなく、「３」または「５以上」に変更することもできる。
・上記実施形態では、各測定ブロック４０〜７０のそれぞれと本体ユニット８０との間で伝達線１１により信号の伝達を行うようにしたが、信号の伝達方法を無線の方法に変更することもできる。
【０１０８】
・上記実施形態では、各測定ブロック４０〜７０のそれぞれに電源を内蔵するようにしたが、各測定ブロック４０〜７０の電源に代えて本体ユニット８０に電源を設けることもできる。
【０１０９】
・上記実施形態では、体表面に対する各測定ブロック４０〜７０の滑らかな移動を実現するための構造として、ブロック本体にローラを設ける回転構造を採用したが、これに代えてまたは加えて次の（Ａ）〜（Ｄ）を採用することもできる。
（Ａ）電極表面の形状として体表面との摩擦が小さくなる形状を採用する。
（Ｂ）電極表面に体表面との摩擦を小さくするコーティングを施す。
（Ｃ）ブロック本体に球体を設ける。
（Ｄ）ブロック本体に対して回転できる態様で電極を設ける。
【０１１０】
・上記実施形態では、各測定ブロック４０〜７０の接続体として、体表面に沿うように湾曲及び伸縮する蛇腹状の要素を採用したが、これに代えてゴム状の要素を採用することもできる。
【０１１１】
・上記実施形態では、各測定ブロック４０〜７０の接続体同士の接続及び分離を実現するための要素として、接続体４３〜７３にフック４３Ａ〜７３Ａを設けるようにしたが、これに代えて面ファスナまたは磁石を設けることもできる。
【０１１２】
・上記実施形態では、４つの測定ブロック４０〜７０の全てを互いに接続したときに各ブロックが一列をなすように測定ユニット２０を構成したが、各測定ブロック４０〜７０を接続したときの形状はこれとは異なるように測定ユニット２０を構成することもできる。例えば、いずれか１つの測定ブロックについて、そのなかの互いに隣り合う３つの面のそれぞれに接続体を設けることにより、この測定ブロックに対して残りの３つの測定ブロックを接続する構成を採用することもできる。
【０１１３】
・上記実施形態では、測定ユニット２０による測定方法の例として、被測定者が立位にある状態での測定方法を示したが、被測定者が座位または仰臥位にある状態でも同実施形態での測定方法に準じて体組成の測定を行うことができる。
【０１１４】
・上記実施形態では、測定ユニット２０による被測定者の測定部位の例として腹部を示したが、腕や脚部をはじめとして被測定者の他の部位を測定部位とすることもできる。
・上記実施形態では、測定ユニット２０による測定対象の例として人を示したが、動物を測定対象とすることもできる。
【符号の説明】
【０１１５】
１…体組成測定装置、１１…伝達線、２０…測定ユニット、３０Ａ…第１ブロック体、３０Ｂ…第２ブロック体、３０Ｃ…第３ブロック体、３０Ｄ…第４ブロック体、３０Ｅ…第５ブロック体、３０Ｆ…第６ブロック体、３０Ｇ…第７ブロック体、３０Ｈ…第８ブロック体、３０Ｉ…第９ブロック体、４０…第１測定ブロック、４１…ブロック本体、４２…電流印加用電極、４３…接続体、４３Ａ…フック、４４…ローラ、５０…第２測定ブロック、５１…ブロック本体、５２…電圧測定用電極、５３…接続体、５３Ａ…フック、５４…ローラ、６０…第３測定ブロック、６１…ブロック本体、６２…電圧測定用電極、６３…接続体、６３Ａ…フック、６４…ローラ、７０…第４測定ブロック、７１…ブロック本体、７２…電流印加用電極、７３…接続体、７３Ａ…フック、７４…ローラ、８０…本体ユニット、８１…制御部、８２…表示部、１００…被測定体、１０１…腹部、１０２…左脇腹、１０３…右脇腹、１０４…背部、１１０…体脂肪、１１１…皮下脂肪、１１２…内臓脂肪、１２０…筋肉、１３０…骨。
【図１】
2011067356.tif 000003
【図２】
2011067356.tif 000004
【図３】
2011067356.tif 000005
【図４】
2011067356.tif 000006
【図５】
2011067356.tif 000007
【図６】
2011067356.tif 000008
【図７】
2011067356.tif 000009
【図８】
2011067356.tif 000010